(57)【特許請求の範囲】
【請求項１】
複数の画素加算読み出し可能な固体撮像素子と、
前記固体撮像素子の出力信号を相関二重サンプリングする相関二重サンプリング手段と、
前記相関二重サンプリング手段の出力信号の黒レベルをクランプするクランプ手段と、
前記クランプ手段がクランプした前記出力信号をアナログ−デジタル変換するアナログ−デジタル変換手段と、
前記アナログ−デジタル変換手段の出力信号を画像処理する画像信号処理手段と、
前記画像信号処理手段で処理されたフレーム画像の輝度データを垂直方向に加算する輝度加算処理手段と、
前記輝度加算処理手段の出力データの水平方向での変化量を検出する輝度変化量検出手段と、
前記輝度加算処理手段の出力データに急峻な変化のあることを前記輝度変化量検出手段が検出した場合に、前記急峻な変化のある前記水平方向での位置を記憶して前記固体撮像素子から画素加算読み出しを行う際の画素数を減少させるように前記固体撮像素子の画素加算読み出し方法を変更し、該変更の後に得られる前記輝度加算処理手段の出力データにおける前記記憶した前記水平方向での位置における変化量が前記画素数を変更する前の前記記憶した前記水平方向での位置の変化量と同等である場合には、前記固体撮像素子から画素加算読み出しを行う際の画素数を前記変更の前の画素数に戻す制御手段と、を備えることを特徴とする固体撮像装置。
【請求項２】
前記制御手段は、前記画素加算読み出し方法を変更する前後の前記輝度変化量検出手段の出力を比較した結果に応じて、前記相関二重サンプリング手段の動作タイミングを変更することを特徴とする請求項１記載の固体撮像装置。
【請求項３】
前記固体撮像素子の撮影範囲より広い範囲が投影されるエリアの輝度を検出するエリアセンサを備え、
前記制御手段は、前記エリアセンサの出力値が所定値を超えた場合に前記画素加算読み出し方法を変更し、前記画素加算読み出し方法を変更する前後の前記輝度変化量検出手段の出力を比較した結果に応じて、前記相関二重サンプリング手段の動作タイミングを変更することを特徴とする請求項１記載の固体撮像装置。
【請求項４】
複数の画素加算読み出し可能な固体撮像素子を備える固体撮像装置の制御方法において、
前記固体撮像素子の出力信号を相関二重サンプリングする相関二重サンプリングステップと、
前記相関二重サンプリングステップの出力信号の黒レベルをクランプするクランプステップと、
前記クランプステップがクランプした前記出力信号をアナログ−デジタル変換するアナログ−デジタル変換ステップと、
前記アナログ−デジタル変換ステップの出力信号を画像処理する画像信号処理ステップと、
前記画像信号処理ステップで処理されたフレーム画像の輝度データを垂直方向に加算する輝度加算処理ステップと、
前記輝度加算処理ステップの出力データの水平方向での変化量を検出する輝度変化量検出ステップと、
前記輝度加算処理ステップでの出力データに急峻な変化のあることが前記輝度変化量検出ステップで検出された場合に、前記急峻な変化のある前記水平方向での位置を記憶して前記固体撮像素子から画素加算読み出しを行う際の画素数を減少させるように前記固体撮像素子の画素加算読み出し方法を変更し、該変更の後に行われる前記輝度加算処理ステップでの出力データにおける前記記憶した前記水平方向での位置における変化量が前記画素数を変更する前の前記記憶した前記水平方向での位置の変化量と同等である場合には、前記固体撮像素子から画素加算読み出しを行う際の画素数を前記変更の前の画素数に戻す制御ステップと、を備えることを特徴とする固体撮像装置の制御方法。
【請求項５】
前記制御ステップは、前記画素加算読み出し方法を変更する前後の前記輝度変化量検出ステップの出力を比較した結果に応じて、前記相関二重サンプリングステップの動作タイミングを変更することを特徴とする請求項４記載の固体撮像装置の制御方法。
【請求項６】
前記固体撮像素子の撮影範囲より広い範囲が投影されるエリアの輝度を検出するエリア検出ステップを備え、
前記制御ステップは、前記エリア検出ステップの出力値が所定値を超えた場合に前記画素加算読み出し方法を変更し、前記画素加算読み出し方法を変更する前後の前記輝度変化量検出ステップの出力を比較した結果に応じて、前記相関二重サンプリングステップの動作タイミングを変更することを特徴とする請求項４記載の固体撮像装置の制御方法。
【請求項７】
請求項１記載の固体撮像装置を搭載する情報機器。
【発明の詳細な説明】
【技術分野】
【０００１】
本発明は、固体撮像装置及び固体撮像装置の制御方法、並びに情報機器に関する。
【背景技術】
【０００２】
従来から、ＣＣＤ等の撮像素子を内蔵した固体撮像装置が提案されている。図１２は、従来の固体撮像装置の概略構成を示すブロック図である。
【０００３】
図１２において、ＣＣＤ等の撮像素子１は光を電気信号として取り込むためのものである。ＣＤＳ（Ｃｏｒｅａｔｅｄ  Ｄｏｕｂｌｅ  Ｓａｍｐｌｉｎｇ）回路２は、撮像素子１より出力される電気信号に含まれるクロック成分を除去する。クランプ回路３は、ＣＤＳ回路２の出力信号を所定の基準電圧にクランプするである。
【０００４】
ＡＤ変換部４は、クランプ回路３から出力されるクランプ出力の信号をアナログ信号からデジタル信号に変換する。撮像素子駆動制御部５は、撮像素子１、ＣＤＳ回路２、クランプ回路３、ＡＤ変換部４の動作タイミングや撮像素子１の駆動を制御する。画像信号処理部６は、ＡＤ変換部４から送られてくるデジタルデータを画像信号データに変換処理を行う。
【０００５】
以上のように構成された従来の固体撮像措置において、固体撮像装置のすべての画素を読み出すと時間がかかるので、読み出す画素を削減してライブ画像を表示する方法として画素加算読み出しを行っている。
【０００６】
以下に、その画素加算読み出しの画素加算の一例として４画素加算方法を説明する。
【０００７】
固体撮像素子１の各画素にはカラーフィルタがあり、図４に示すように、画素４０１によってＲｅｄ、Ｇｒｅｅｎ、Ｂｌｕｅ（今後はＲ、Ｇ、Ｂとする。）のカラーフィルタが設置されている。
【０００８】
画素加算した結果は、図４の画素４０２として読み出される。図４において、撮像素子の画素４０１のＲ１画素、Ｒ２画素、Ｒ３画素、Ｒ４画素を加算して１つのＲ画素として読み出す。また、Ｇ１画素、Ｇ２画素、Ｇ３画素とＧ４画素を加算して１つのＧ画素として読み出す。このことにより、読み出し量を削減する読み出し方法が４画素加算読み出し方法である（特許文献１、２参照）。
【特許文献１】特開２００３−１７４５９４号公報
【特許文献２】特開２００３−３２４６５９号公報
【発明の開示】
【発明が解決しようとする課題】
【０００９】
最近は、固体撮像素子が進化し、画素数が多くなってきている。その際に、ライブ画像のフレーム数を多く表示するために、画素加算数を多くすることによって高速で読み出せるように構成している固体撮像素子が増えてきている。
【００１０】
しかしながら、画素加算数を多くすると１画素としての電荷量が多くなってくる。その影響もあり、固体撮像素子の受光面に高輝度の光が入力された時に後述のように、高輝度部が黒沈みを起こすという問題があった。さらに、従来の構成では、この黒沈み現象を検出する構成が複雑であるという問題があった。
【００１１】
固体撮像素子としてＣＣＤを使用した場合のこの黒沈みを起す原理を、図１３を用いて簡単に説明する。
【００１２】
図１３は、固体撮像素子であるＣＣＤの最終出力となる水平転送路の最終段の構成を示す図である。
【００１３】
水平転送路の最終段は、水平転送路Ｈ１，Ｈ２は、信号電荷を電圧に変えるキャパシタの役割を果たすフローティング・ディフュージョン・アンプ（ＦＤアンプ）、ＦＤアンプ部をリセットするためのリセットゲート、電荷を吐き出すドレインから構成されている。
【００１４】
（ａ）で、Ｈ１立ち上がりによってＨ２へ電荷が転送される。（ｂ）の状態で、Ｈ２の蓄積能力を超えた余剰電荷は、ＦＤアンプ部へ流出する。リセットゲートがオンである場合には、この流出した過剰電荷はドレイン部にはき捨てられる。（ｃ）の状態では、リセットゲートがオフであり、流出した過剰電荷がＦＤアンプ部に留まってしまう。このような状態になることによりフィードスルー部が沈み込み黒沈み現象が起きてしまう。
【００１５】
本発明の目的は、黒沈み現象を回避することができる固体撮像装置及び固体撮像装置の制御方法、並びに情報機器を提供することにある。
【課題を解決するための手段】
【００１６】
上記目的を達成するために、請求項１記載の固体撮像装置は、複数の画素加算読み出し可能な固体撮像素子と、前記固体撮像素子の出力信号を相関二重サンプリングする相関二重サンプリング手段と、前記相関二重サンプリング手段の出力信号の黒レベルをクランプするクランプ手段と、前記クランプ手段がクランプした前記出力信号をアナログ−デジタル変換するアナログ−デジタル変換手段と、前記アナログ−デジタル変換手段の出力信号を画像処理する画像信号処理手段と、前記画像信号処理手段で処理されたフレーム画像の輝度データを垂直方向に加算する輝度加算処理手段と、前記輝度加算処理手段の出力データの水平方向での変化量を検出する輝度変化量検出手段と、前記輝度加算処理手段の出力データに急峻な変化のあることを前記輝度変化量検出手段が検出した場合に、前記急峻な変化のある前記水平方向での位置を記憶して前記固体撮像素子から画素加算読み出しを行う際の画素数を減少させるように前記固体撮像素子の画素加算読み出し方法を変更し、該変更の後に得られる前記輝度加算処理手段の出力データにおける前記記憶した前記水平方向での位置における変化量が前記画素数を変更する前の前記記憶した前記水平方向での位置の変化量と同等である場合には、前記固体撮像素子から画素加算読み出しを行う際の画素数を前記変更の前の画素数に戻す制御手段と、を備えることを特徴とする。
【００１７】
請求項４記載の固体撮像装置の制御方法は、複数の画素加算読み出し可能な固体撮像素子を備える固体撮像装置の制御方法において、前記固体撮像素子の出力信号を相関二重サンプリングする相関二重サンプリングステップと、前記相関二重サンプリングステップの出力信号の黒レベルをクランプするクランプステップと、前記クランプステップがクランプした前記出力信号をアナログ−デジタル変換するアナログ−デジタル変換ステップと、前記アナログ−デジタル変換ステップの出力信号を画像処理する画像信号処理ステップと、前記画像信号処理ステップで処理されたフレーム画像の輝度データを垂直方向に加算する輝度加算処理ステップと、前記輝度加算処理ステップの出力データの水平方向での変化量を検出する輝度変化量検出ステップと、前記輝度加算処理ステップでの出力データに急峻な変化のあることが前記輝度変化量検出ステップで検出された場合に、前記急峻な変化のある前記水平方向での位置を記憶して前記固体撮像素子から画素加算読み出しを行う際の画素数を減少させるように前記固体撮像素子の画素加算読み出し方法を変更し、該変更の後に行われる前記輝度加算処理ステップでの出力データにおける前記記憶した前記水平方向での位置における変化量が前記画素数を変更する前の前記記憶した前記水平方向での位置の変化量と同等である場合には、前記固体撮像素子から画素加算読み出しを行う際の画素数を前記変更の前の画素数に戻す制御ステップと、を備えることを特徴とする。
【００１８】
請求項７記載の情報機器は、請求項１記載の固体撮像装置を搭載する。
【発明の効果】
【００１９】
本発明の固体撮像装置及び固体撮像装置の制御方法は、黒沈み現象を回避することができる。
【発明を実施するための最良の形態】
【００２０】
以下、本発明の実施の形態を図面を参照しながら詳細に説明する。
【００２１】
図１は、本発明の第１の実施の形態に係る固体撮像装置の概略構成を示すブロック図である。
【００２２】
図１の固体撮像装置１００において、撮像素子（複数の画素加算読み出し可能な固体撮像素子）１０１は、光を電気信号として取り込む。
【００２３】
ＣＤＳ回路（固体撮像素子の出力信号を相関二重サンプリングする相関二重サンプリング手段）１０２は、撮像素子１０１より出力される電気信号に含まれるクロック成分を除去する。
【００２４】
クランプ回路（相関二重サンプリング手段の出力信号の黒レベルをクランプするクランプ手段）１０３は、ＣＤＳ回路１０２の出力信号を所定の基準電圧にクランプする。
【００２５】
ＡＤ変換部（クランプ手段がクランプした前記出力信号をアナログ−デジタル変換するアナログ−デジタル変換手段）１０４は、クランプ回路１０３から出力されるクランプ出力の信号をアナログ信号からデジタル信号に変換する。
【００２６】
撮像素子駆動制御部１０５は、撮像素子１０１、ＣＤＳ回路１０２、クランプ回路１０３、ＡＤ変換部１０４の動作タイミングや撮像素子１０１の駆動を制御する。
【００２７】
画像信号処理部（アナログ−デジタル変換手段の出力信号を画像処理する画像信号処理手段）１０６は、ＡＤ変換部１０４から送られてくるデジタルデータを画像信号データに変換処理を行う。
【００２８】
輝度加算処理部（画像処理手段で処理されたフレーム画像の輝度データを垂直方向に加算する輝度加算処理手段）１０７は、画像信号処理部１０６で処理された１フレーム分の画像信号データの輝度データを垂直方向に加算する。
【００２９】
輝度変化量検出部（輝度加算処理手段の出力データの変化量を検出する輝度変化量検出手段）１０８は、輝度加算処理部１０７から出力される輝度加算データの変化量を計算して所定の変化量よりも大きくなっているかを検出し、また、記憶している変化量と比較を行う。
【００３０】
輝度加算処理部１０７と輝度変化量検出部１０８は、図２に示すシステム制御部２１０の中でデジタル的にソフト処理されるブロックである。
【００３１】
撮像素子１０１は、撮像素子駆動制御部１０５の制御によって複数の画素加算読み出しすることが可能である。
【００３２】
ここで、制御手段としての撮像素子駆動制御部１０５は、輝度変化量検出部１０８の出力に応じて撮像素子１０１の画素加算読み出し方法を変更する。
【００３３】
また、撮像素子駆動制御部１０５は、撮像素子１０１の画素加算読み出し方法を変更する前後の輝度変化量検出部１０８の出力を比較した結果に応じて、ＣＤＳ回路１０２の動作タイミングを変更する。
【００３４】
図２は、図１の固体撮像装置が搭載される本発明の実施の形態に係る情報機器としてのデジタルカメラの概略構成を示すブロック図である。
【００３５】
固体撮像装置１００における輝度加算処理部１０７と輝度変化量検出部１０８は、上述したように、システム制御部２１０の中でデジタル的にソフト処理される。
【００３６】
レンズ２０１は、被写体の光学像を撮像素子１０１に結像させる。絞り・シャッター２０２は、シャッター機能を有し、レンズ２０１を通った光量を制御するための絞りを兼ねている。
【００３７】
光学系駆動部２０８は、レンズ２０１や絞り・シャッター２０２を駆動する。システム制御部２１０は、デジタルカメラ全体の制御及び各種演算を行う。メモリ２１１は、システム制御部２１０が処理を行う際のワークメモリや画像用の画像メモリ等として使用される。
【００３８】
記録媒体２１２は、撮影（撮像）した画像データや音声データの記録または読み出しを行うための半導体メモリ等である。電源部２１３は、デジタルカメラのすべてのブロックに電源を供給する。
【００３９】
スイッチ部２１４は、デジタルカメラの電源をオン、オフするためのメインスイッチや撮影を支持するレリーズスイッチ等である。画像表示部２１５は、システム制御部２１０から送られてくる表示データを表示するＬＣＤ等である。
【００４０】
図３は、図２のデジタルカメラによって実行される撮影（撮像）処理の手順を示すフローチャートである。
【００４１】
本処理は、図２におけるシステム制御部２１０の制御の下に実行される。
【００４２】
スイッチ部２１４の中のメインスイッチがオンされると（ステップＳ３０１）、電源部２１３は動作を開始し、メイン電源及びコントロール系の電源を供給する。モードが撮影または再生かを判断し（ステップＳ３０２）、撮影モードであれば撮影シーケンスに入る。
【００４３】
再生モードであった場合は、再生シーケンスに行き、記録媒体２１２から画像データを読み込み（ステップＳ３０３）、画像表示部２１５への出力のための信号処理を行い、画像を表示する（ステップＳ３０４）。
【００４４】
その後、メインスイッチがオフされるまで画像を表示し、メインスイッチがオフされたら（ステップＳ３０５）、画像の表示を中止し、電源をオフする。
【００４５】
ステップＳ３０２の判断において、撮影シーケンスに入った場合は、固体撮像装置１００の電源をオンして、ライブ画像を処理するための画素加算モードで固体撮像装置１００を駆動する（ステップＳ３０６）。
【００４６】
レンズ２０１をリセット位置まで駆動し（ステップＳ３０７）、システム制御部２１０の制御により光学系駆動部２０８からの信号で絞り・シャッター２０２をまず開放にする（ステップＳ３０８）。
【００４７】
その後、ＡＦシーケンスに入り、撮像素子１０１を通った信号が固体撮像装置１００で処理された画像データをシステム制御２１０に入力し、ここでＡＦ・ＡＥ制御値を演算する（ステップＳ３０９）。
【００４８】
この演算結果に応じて、システム制御２１０は、絞り、シャッター２０２を制御する（ステップＳ３１０）。スイッチ部２１４の中のレリーズスイッチが押されているかを判断する（ステップＳ３１１）。
【００４９】
レリーズスイッチが押されていない場合には、ＡＦ・ＡＥ処理シーケンス（ステップＳ３０９）に戻る。レリーズスイッチが押されている場合には、固体撮像装置１００を、撮影するための全画素読み出しモードに変更する（ステップＳ３１２）。
【００５０】
そして、撮影を行い、撮影したデータをシステム制御２１０で処理し、記録媒体２１２に記録する（ステップＳ３１３）。ライブ画像を処理するための画素加算モードで固体撮像装置１００を駆動し直して（ステップＳ３１４）、ＡＦ・ＡＥ処理シーケンス（ステップＳ３０９）に戻る。
【００５１】
メインスイッチがオフされると固体撮像装置１００の電源をオフし、光学ブロックの各メカは所定の位置に戻り、メインの電源を切る。
【００５２】
図４は、図１の固体撮像装置における４画素加算読み出しの説明図、図５は、図１の固体撮像装置における９画素加算読み出しの説明図である。
【００５３】
撮像素子１０１の画素にはカラーフィルタがあり、図４の画素４０１や図５の画素５０１のように、画素によってＲ、Ｇ、Ｂのカラーフィルタが設置されている。画素加算した結果は、図４の画素４０２や図５の画素５０２として読み出される。
【００５４】
図４に示す４画素加算読み出し方法は、前述したので、重複する説明は省略する。
【００５５】
図５において、撮像素子の画素５０１のＲ１画素、Ｒ２画素、Ｒ３画素、Ｒ４画素、Ｒ５画素、Ｒ６画素、Ｒ７画素、Ｒ８画素、Ｒ９画素を加算して１つのＲ画素として読み出す。また、Ｇ１画素、Ｇ２画素、Ｇ３画素、Ｇ４画素、Ｇ５画素、Ｇ６画素、Ｇ７画素、Ｇ８画素、Ｇ９画素を加算して１つのＧ画素として読み出す。このことにより、読み出し量を削減する読み出しが９画素加算読み出しである。
【００５６】
図６は、図１の固体撮像装置によって実行される制御処理の手順を示すフローチャートである。
【００５７】
通常時のライブ画像を表示している場合には、読み出し量を削減してｎ画素加算読み出し駆動を行い、データ量を削減して動作させている（ステップＳ６０１）。撮像素子１０１から出力されるｎ画素読み出しされた信号がＣＤＳ回路１０２、クランプ回路１０３、ＡＤ変換部１０４、画像信号処理部１０６で処理されて画像信号が作成される。
【００５８】
図７は、図１における輝度加算処理部の輝度加算処理の説明図（１）、図８は、図１における輝度加算処理部の輝度加算処理の説明図（２）である。
【００５９】
図７にあるように、画像信号の毎フィールドにおいて、輝度加算処理部１０７によって１フィールドの垂直方向に輝度信号が加算処理される（ステップＳ６０２）。輝度変化量検出部１０８において、図８に示すように、加算処理されたデータから１フィールド分の水平方向の輝度変化量を算出する（ステップＳ６０３）。
【００６０】
輝度変化量で所定の変化量よりも急峻な変化の存在の有無を検出する（ステップＳ６０４）。ステップＳ６０４において、急峻な変化が存在しない場合には、黒沈み現象はないと判断される（ステップＳ６０５）。撮像素子１０１の読み出し方法をｎ画素加算読み出しモードに戻す（ステップＳ６０１）。
【００６１】
ステップＳ６０４において、急峻な変化が検出された場合には、急峻な変化が現れた水平方向の位置を記憶する（ステップＳ６０６）。撮像素子駆動制御部１０５が、撮像素子１０１のｎ画素加算読み出しからｎ−ｍ画素加算読み出しに制御を変更する（ステップＳ６０７）。
【００６２】
読み出し変更後に撮像素子１０１から読み出した信号がＣＤＳ回路１０２、クランプ回路１０３、ＡＤ変換部１０４、画像信号処理部１０６で処理されて、ｎ−ｍ画素読み出しの画像信号が作成される。
【００６３】
ｎ−ｍ画素読み出しの画像信号の１フレームの輝度データが輝度加算処理部１０７で垂直方向に加算される（ステップＳ６０８）。輝度変化量検出部１０８において、加算処理されたデータから１フィールド分の水平方向の輝度変化量を算出する（ステップＳ６０９）。
【００６４】
ステップＳ６０６で記憶した輝度変化量が急峻であった水平位置の輝度変化量と、ステップＳ６０９で算出した輝度変化量を比較する（ステップＳ６１０）。ステップＳ６１０で比較した結果、輝度変化量が同等であれば黒沈み現象はないと判断される（ステップＳ６１１）。撮像素子１０１の読み出し方法をｎ画素加算読み出しモードに戻す（ステップＳ６０１）。
【００６５】
ステップＳ６１０で比較した結果、輝度変化量がなくなっていれば黒沈み現象が起こっていたと判断される（ステップＳ６１２）。黒沈み現象が起こっていたと判断されたら、黒沈み対策動作で撮像素子１０１をｎ画素加算読み出しモードにする（ステップＳ６１３）。
【００６６】
次に上記にある黒沈み対策動作の一例について、図９を使用して説明する。
【００６７】
図９は、図１の撮像素子の出力信号を示す図である。
【００６８】
撮像素子１０１の１画素分の出力信号として、図５の信号９０１に示されるリセット期間９０２、信号も何もないフィードスルー出力期間９０３と出力信号期間９０４が繰り返されて出力される。
【００６９】
通常の動作では、撮像素子駆動制御部１０５からＣＤＳ回路１０２に与えられるタイミングによって、ＣＤＳ回路１０２では、出力信号期間９０４の信号レベルとフィードスルー出力期間９０３のレベルをサンプルホールドする。そして、差分レベルである信号レベル９０５が出力信号としてＣＤＳ回路１０２から出力される。
【００７０】
黒沈み対策動作では、撮像素子駆動制御部１０５からＣＤＳ回路１０２に与えられるタイミングによって、ＣＤＳ回路１０２では、出力信号期間９０４の信号レベルとリセット期間９０２のレベルをサンプルホールドする。そして、差分レベルである信号レベル９０６が出力信号としてＣＤＳ回路１０２から出力される。その後、画像信号処理部１０６において、オフセットレベル９０７分の値を差し引く。
【００７１】
このようなデジタル的なソフト処理によって、特別な回路を設けることなく、黒沈み現象を簡単に検出することが可能となる。
【００７２】
図１０は、本発明の第２の実施の形態に係る固体撮像装置の概略構成を示すブロック図である。
【００７３】
第２の実施の形態の固体撮像装置において、図１の第１の実施の形態の固体撮像装置と同一ブロックは同一符号を付し、重複する説明は省略する。
【００７４】
第２の実施の形態の固体撮像装置は、第１の実施の形態の固体撮像装置の構成に加え、撮像素子８０１の撮影範囲より広い範囲が投影され、撮像素子８０１に比べて画素数が極めて少ない輝度検出部（エリアセンサ、エリア検出ステップ）１００１を備える。輝度検出部１００１は、投影されるエリアの輝度を検出することが可能である。
【００７５】
ここで、制御手段としての撮像素子駆動制御部１０５は、エリアセンサ１００１の出力値が所定値を超えた場合に撮像素子１０１の画素加算読み出し方法を変更する。また、撮像素子駆動制御部１０５は、撮像素子１０１の画素加算読み出し方法を変更する前後の輝度変化量検出部１０８の出力を比較した結果に応じて、ＣＤＳ回路１０２の動作タイミングを変更する。
【００７６】
図１１は、図１０の固体撮像装置によって実行される制御処理の手順を示すフローチャートである。
【００７７】
図１１のフローチャートにおいて、図６のフローチャートと同一処理箇所には同一の符号を付して、重複する説明は省略する。
【００７８】
図１１のフローチャートにおいては、ステップＳ６０１のｎ画素加算読み出し駆動の次に、輝度検出部（エリアセンサ）１００１の出力値とＡＥの値毎に格納されている所定の値とを比較する（ステップＳ１１０１）。
【００７９】
そして、輝度検出部（エリアセンサ）１００１の出力値が所定の値よりも大きくなった場合は、画像信号処理部１０６で処理された画像信号を、輝度加算処理部１０７によって１フィールドの垂直方向に加算処理する（ステップＳ６０２）。以下、図６と同様の処理が展開される。
【００８０】
このように、輝度検出部（エリアセンサ）１００１の出力値が所定の値より大きくならない限り、ステップＳ６０２以降の処理を行わないので、処理の量が少なく黒沈み現象を簡単に検出することが可能となる。
【図面の簡単な説明】
【００８１】
【図１】本発明の第１の実施の形態に係る固体撮像装置の概略構成を示すブロック図である。
【図２】図１の固体撮像装置が搭載される本発明の実施の形態に係る情報機器としてのデジタルカメラの概略構成を示すブロック図である。
【図３】図２のデジタルカメラによって実行される撮影（撮像）処理の手順を示すフローチャートである。
【図４】図１の固体撮像装置における４画素加算読み出しの説明図てである。
【図５】図１の固体撮像装置における９画素加算読み出しの説明図である。
【図６】図１の固体撮像装置によって実行される制御処理の手順を示すフローチャートである。
【図７】図１における輝度加算処理部の輝度加算処理の説明図（１）である。
【図８】図１における輝度加算処理部の輝度加算処理の説明図（２）である。
【図９】図１の撮像素子の出力信号を示す図である。
【図１０】本発明の第２の実施の形態に係る固体撮像装置の概略構成を示すブロック図である。
【図１１】図１０の固体撮像装置によって実行される制御処理の手順を示すフローチャートである。
【図１２】従来の固体撮像装置の概略構成を示すブロック図である。
【図１３】固体撮像素子であるＣＣＤの最終出力となる水平転送路の最終段の構成を示す図である。
【符号の説明】
【００８２】
１０１  固体撮像素子
１０２  ＣＤＳ回路
１０３  クランプ回路
１０４  ＡＤ変換部
１０５  撮像素子駆動制御部
１０６  画像信号処理部
１０７  輝度加算処理部
１０８  輝度変化量検出部
【図１】
0005300312.tif 000002
【図２】
0005300312.tif 000003
【図３】
0005300312.tif 000004
【図４】
0005300312.tif 000005
【図５】
0005300312.tif 000006
【図６】
0005300312.tif 000007
【図７】
0005300312.tif 000008
【図８】
0005300312.tif 000009
【図９】
0005300312.tif 000010
【図１０】
0005300312.tif 000011
【図１１】
0005300312.tif 000012
【図１２】
0005300312.tif 000013
【図１３】
0005300312.tif 000014